(57)【特許請求の範囲】
【請求項１】
ギャップを備えるコア、ならびに前記コアに巻き回される読取り用コイルおよび書込み用コイルを備えるヘッド本体と、
前記ヘッド本体を収容するヘッドケースと、
前記読取り用コイルと接続される復調回路、および前記復調回路と接続される暗号化回路と、
前記書込み用コイルと接続される双方向ダイオードと、を備え、
前記双方向ダイオードは、前記ヘッドケースの内部に配置され、
前記双方向ダイオードを介して前記書込み用コイルに書込み用信号が入力されることを特徴とする磁気ヘッド。
【請求項２】
前記双方向ダイオードが実装された第１基板面を備える回路基板を有し、
前記回路基板は、少なくとも前記第１基板面における前記双方向ダイオードが実装された領域が前記ヘッドケースにより覆われることを特徴とする請求項１に記載の磁気ヘッド。
【請求項３】
前記第１基板面に復調回路が実装され、
前記第１基板面は、少なくとも前記復調回路および前記双方向ダイオードが実装された領域が前記ヘッドケースにより覆われることを特徴とする請求項２に記載の磁気ヘッド。
【請求項４】
前記ヘッドケースは開口部を備え、
前記回路基板は、前記第１基板面を前記ヘッドケースの側に向けて前記開口部を塞ぐ状態で前記ヘッドケースに固定され、
前記回路基板は、前記第１基板面の裏側に設けられた第２基板面に前記暗号化回路が実装されていることを特徴とする請求項３に記載の磁気ヘッド。
【請求項５】
前記ヘッドケース内に樹脂が充填されることを特徴とする請求項１から４の何れか一項に記載の磁気ヘッド。
【請求項６】
請求項１から５の何れか一項に記載の磁気ヘッドと、
前記磁気ヘッドの前記書込み用コイルと前記双方向ダイオードを介して接続される書込み回路と、を有することを特徴とする磁気記録媒体処理装置。
【発明の詳細な説明】
【技術分野】
【０００１】
本発明は、磁気カードなどの磁気記録媒体に対する磁気情報の読み取りおよび書込みを行う磁気ヘッドに関する。また、磁気ヘッドを備える磁気記録媒体処理装置に関する。
【背景技術】
【０００２】
磁気記録媒体からの磁気情報の読取り、および磁気記録媒体への磁気情報の書込みを行う磁気ヘッドを備えたカード処理装置は特許文献１に記載されている。同文献のカード処理装置（磁気記録媒体処理装置）では、磁気ヘッドは、ギャップを備えるコアと、コアに巻き回された読取り用コイルおよび書込み用コイルと、読取り用コイルから出力されるアナログ信号を復調する復調回路と、復調回路から出力される復調信号を暗号化する暗号化回路を備える。磁気ヘッドは、磁気カード（磁気記録媒体）がギャップを通過する際の磁界の変化を検出し、暗号化回路により暗号化された信号を出力する。磁気ヘッドには、暗号化された信号（リード信号）が出力される出力端子と、書込み信号（ライト信号）が入力される入力端子が設けられる。
【先行技術文献】
【特許文献】
【０００３】
【特許文献１】特開２０１１−２１５７４８号公報
【発明の概要】
【発明が解決しようとする課題】
【０００４】
特許文献１のカード処理装置では、書込み用コイルは、磁気ヘッドの外部に設けられた書込み回路と接続される。ここで、読取り用コイルと書込み用コイルを同一のコアに巻き回した磁気ヘッドでは、読取り用コイルに電流が流れるとき、書込み用コイルにも読取り用コイルの電流に対応する電流が流れる。そして、この電流（アナログ信号）は、暗号化回路を介さずに入力端子から書込み回路側へ出力される。つまり、暗号化されたリード信号が磁気ヘッドの出力端子から出力されるときには、磁気ヘッドの入力端子から書込み回路側へもリード信号に対応するアナログ信号が出力されるが、このアナログ信号は暗号化されていない。従って、磁気ヘッドの入力端子と書込み回路の間で暗号化されていない信号が読み取られるおそれがある。
【０００５】
以上の問題点に鑑みて、本発明の課題は、磁気情報の読取りおよび書込みを行う磁気ヘッドにおいて、磁気情報の読取り時に磁気ヘッドと書込み回路の間で信号が読み取られることを防止することにある。
【課題を解決するための手段】
【０００６】
上記課題を解決するために、本発明の磁気ヘッドは、ギャップを備えるコア、ならびに前記コアに巻き回される読取り用コイルおよび書込み用コイルを備えるヘッド本体と、前記ヘッド本体を収容するヘッドケースと、前記読取り用コイルと接続される復調回路、および前記復調回路と接続される暗号化回路と、前記書込み用コイルと接続される双方向ダイオードと、を備え、前記双方向ダイオードは、前記ヘッドケースの内部に配置され、前記双方向ダイオードを介して前記書込み用コイルに書込み用信号が入力されることを特徴とする。
【０００７】
本発明によれば、磁気ヘッドのヘッドケース内に双方向ダイオードが配置され、この双方向ダイオードを介して書込み用コイルに書込み用信号が入力される。ここで、書込み用コイルから出力されるアナログ信号の電圧レベル（１０ｍＶ程度）は双方向ダイオードの
順方向電圧（１Ｖ程度）よりも低いため、書込み用コイルから出力されるアナログ信号は、双方向ダイオードを通過できない。従って、読取り用コイルによって磁気情報が読み取られる際に、読取り用コイルから出力される信号に対応するアナログ信号が書込み用コイルから出力されるとしても、このアナログ信号は双方向ダイオードを通過しない。すなわち、本発明によれば、読取り用コイルから出力される信号に対応するアナログ信号が書込み用コイルから磁気ヘッドの外部へ出力されることを双方向ダイオードによって阻止できる。一方、書込み用信号が順方向電圧を超えるように設定すれば、書込み用信号を書込み用コイルに入力することができる。よって、磁気情報の読取りおよび書込みを行う磁気ヘッドにおいて、回路の切り換え制御を行うことなく、磁気ヘッドから暗号化されない信号が出力されることを防止できる。よって、磁気ヘッドと書込み回路の間で信号が読み取られることを防止できる。
【０００８】
本発明において、前記双方向ダイオードが実装された第１基板面を備える回路基板を有し、前記回路基板は、少なくとも前記第１基板面における前記双方向ダイオードが実装された領域が前記ヘッドケースにより覆われることが望ましい。このように、回路基板上に双方向ダイオードを実装すれば、磁気ヘッドへの双方向ダイオードの組み込みおよび配線接続が容易である。
【０００９】
本発明において、前記第１基板面に復調回路が実装され、前記第１基板面は、少なくとも前記復調回路および前記双方向ダイオードが実装された領域が前記ヘッドケースにより覆われることが望ましい。このように、復調回路と双方向ダイオードを共通の回路基板に実装することにより、磁気ヘッドの構造を簡素化でき、組み立ておよび配線接続が容易である。また、磁気ヘッドを小型化できる。
【００１０】
本発明において、前記ヘッドケースは開口部を備え、前記回路基板は、前記第１基板面を前記ヘッドケースの側に向けて前記開口部を塞ぐ状態で前記ヘッドケースに固定され、前記回路基板は、前記第１基板面の裏側に設けられた第２基板面に前記暗号化回路が実装されていることが望ましい。このようにすると、暗号化回路をヘッドケースの外部に配置できるため、ヘッドケースを小型化できる。よって、磁気ヘッドを小型化できる。
【００１１】
本発明において、前記ヘッドケース内に樹脂が充填されることが望ましい。このようにすると、ヘッドケース内に配置した構成部品を容易に固定できる。
【００１２】
次に、本発明の磁気記録媒体処理装置は、上記の磁気ヘッドと、前記磁気ヘッドの前記書込み用コイルと前記双方向ダイオードを介して接続される書込み回路と、を有することを特徴とする。
【発明の効果】
【００１３】
本発明によれば、磁気ヘッドのヘッドケース内に双方向ダイオードが配置され、この双方向ダイオードを介して書込み用コイルに書込み用信号が入力される。また、読取り用コイルから出力される信号に対応するアナログ信号が書込み用コイルから出力されるとき、この信号が磁気ヘッドの外部へ出力されることを双方向ダイオードによって阻止できる。従って、磁気情報の読取りおよび書込みを行う磁気ヘッドにおいて、回路の切り換え制御を行うことなく、磁気ヘッドから暗号化されない信号が出力されることを防止できる。よって、磁気ヘッドと書込み回路とを接続する信号線から信号が読み取られることを防止できる。
【図面の簡単な説明】
【００１４】
【図１】本発明を適用したカードリーダの説明図と磁気カードの説明図である。
【図２】カードリーダの信号処理系のブロック図である。
【図３】磁気ヘッドの斜視図である。
【図４】磁気ヘッドの内部構造を模式的に示す断面図である。
【発明を実施するための形態】
【００１５】
以下、図面を参照しながら、本発明を適用した磁気ヘッドおよび磁気ヘッドを搭載するカードリーダを説明する。
【００１６】
（全体構成）
図１（ａ）は本発明を適用したカードリーダの説明図であり、図１（ｂ）はカードリーダによって磁気情報が読み書きされる磁気カードの説明図である。本形態のカードリーダ１は、磁気カード（磁気記録媒体）３に担持された磁気情報の読み取り、および、磁気カード３への磁気情報の書込み用コイルを行う。図１（ｂ）に示すように、磁気カード３は磁気ストライプ２を備える。磁気ストライプ２には３本の磁気トラック１１が設けられている。
【００１７】
カードリーダ１は、カード挿入口５と、磁気ヘッド６と、カード挿入口５から磁気ヘッド６による処理位置Ａを経由して延びるカード搬送経路７と、カード挿入口５に挿入された磁気カード３をカード搬送経路７に沿って搬送する搬送機構８と、本体側基板７０を備える。磁気ヘッド６は、そのセンサ面６ａをカード搬送経路７の側に向けて配置されている。搬送機構８は磁気カード３を間に挟んで搬送する搬送ローラー対９を２組備える。各組の搬送ローラー対９は処理位置Ａの上流側および下流側にそれぞれ配置されている。また、搬送機構８は、搬送ローラー対９の駆動源として搬送モータ１０を備える。
【００１８】
カードリーダ１は、カード挿入口５に磁気カード３が挿入されると、搬送モータ１０を駆動して搬送機構８を動作させる。これにより、磁気カード３はカード搬送経路７に沿って搬送されて処理位置Ａを通過する。磁気カード３が処理位置Ａを通過する際には磁気ストライプ２が磁気ヘッド６のセンサ面６ａに摺接する。磁気ヘッド６は、磁気カード３に担持された磁気情報を読み取る際には、磁気カード３がセンサ面６ａを通過する際の磁界の変化を検出する。磁気ヘッド６から出力される磁気情報は暗号化される。また、磁気ヘッド６は、磁気カード３に磁気情報を書き込む際には、処理位置Ａを通過する磁気カード３を磁化する磁界を発生させる。
【００１９】
（信号処理系）
図２はカードリーダ１の信号処理系を示すブロック図である。本体側基板７０には本体側ＣＰＵ７１および書込み回路７２が実装される。本体側ＣＰＵ７１には、カード挿入口５あるいはカード搬送経路７に設けられた図示しないセンサからの検出信号が入力される。本体側ＣＰＵ７１は、図示しないモータドライバを介して搬送モータ１０に制御信号を出力し、磁気カード３をカード搬送経路７の下流側へ搬送する動作、および磁気カード３をカード挿入口５から排出する動作を行わせる。
【００２０】
本体側基板７０は、リード線８０を介して磁気ヘッド６の制御回路基板６２と接続されている。本体側基板７０には、書込み回路７２と接続される出力端子７０Ａ、７０Ｂが設けられる。本体側ＣＰＵ７１は、書込み回路７２を制御して磁気ヘッド６へ書込み信号を出力する。書込み信号は、書込み回路７２から出力され、出力端子７０Ａ、７０Ｂおよびリード線８０を介して磁気ヘッド６へ入力される。また、本体側ＣＰＵ７１には、リード線８０を介して、磁気ヘッド６から出力される暗号化された磁気情報が入力される。
【００２１】
（磁気ヘッド）
図３は磁気ヘッド６の斜視図であり、図３（ａ）は磁気ヘッド６をセンサ面６ａとは反対側から見た場合の斜視図、図３（ｂ）は磁気ヘッド６をセンサ面６ａの側から見た場合
の斜視図である。また、図４は磁気ヘッド６の内部構造を模式的に示す断面図（図３（ａ）のＯ−Ｏ線における断面図）である。
【００２２】
以下の説明では、図１に示すように、磁気ヘッド６のセンサ面６ａが下方を向く姿勢を磁気ヘッド６の基準の姿勢とし、当該基準の姿勢における上下方向を磁気ヘッド６の上下方向Ｚとする。また、上下方向Ｚと直交する方向であって、カード搬送経路７を搬送される磁気カード３が磁気ヘッド６のセンサ面６ａを通過する通過方向を磁気ヘッド６の前後方向Ｘとする。さらに、上下方向Ｚおよび前後方向Ｘ（磁気カード３の通過方向）と直交する方向を磁気ヘッド６の幅方向（通過方向と交差する方向）Ｙとする。
【００２３】
磁気ヘッド６は、磁気カード３の磁気ストライプ２に形成される３本の磁気トラック１１（図１（ｂ）参照）を読み取る３チャンネル型の磁気ヘッドである。磁気ヘッド６は、ヘッドケース２１と、ヘッドケース２１に固定される制御回路基板６２を備える。ヘッドケース２１の内側には、３本の磁気トラック１１から磁気情報を読み取るための３つのヘッド本体２２が配置される。
【００２４】
ヘッドケース２１はパーマロイなどの軟磁性材料からなる。図３（ｂ）に示すように、ヘッドケース２１は、センサ面６ａを構成する矩形の底板部分２５と、底板部分２５の外周縁から上方Ｚ２に延びる角筒部分２６を備える。角筒部分２６の上端には、上方Ｚ２に開口する開口部２８（図４参照）が設けられている。ヘッドケース２１の底板部分２５は前後方向Ｘの中央部分が下方Ｚ１に突出する湾曲形状である。図３（ｂ）に示すように、底板部分２５における前後方向Ｘの中央部分には３つのセンサ面開口部２７が設けられている。３つのセンサ面開口部２７は前後方向Ｘに延びる長穴であり、幅方向Ｙに配列されている。
【００２５】
図２、図４に示すように、ヘッド本体２２はギャップ３１を備えるコア３２と、当該コア３２に図示しないコイルボビンを介して巻き回された読取り用コイル３３および書込み用コイル３４を備える。図２に示すように、読取り用コイル３３の一方端には第１端子３３Ａが接続され、他方端には第２端子３３Ｂが接続される。また、書込み用コイル３４の一方端には第１端子３４Ａが接続され、他方端には第２端子３４Ｂが接続される。第１端子３３Ａ、第２端子３３Ｂ、第１端子３４Ａ、第２端子３４Ｂはいずれもヘッドケース２１内に配置される。
【００２６】
図４に示すように、コア３２は、前後方向Ｘに延びる直線部３２ａと、直線部３２ａの一方側および他方側の端部から下方Ｚ１（センサ面６ａの側）に突出するコイル巻回部３２ｂ、３２ｃと、コイル巻回部３２ｂ、３２ｃの下端からコア３２の前後方向Ｘの中心に向けて延びる腕部３２ｄ、３２ｅを備える。前後方向Ｘに対向する腕部３２ｄ、３２ｅの先端の間にギャップ３１が形成されている。ギャップ３１は、コア３２の前後方向Ｘの中央に位置する。読取り用コイル３３はコイルボビンを介してコイル巻回部３２ｂに巻回され、書込み用コイル３４はコイルボビンを介してコイル巻回部３２ｃに巻回される。なお、コア形状およびコイルの配置はこのような形状に限定されるものではなく、適宜変更が可能である。
【００２７】
３つのヘッド本体２２は、幅方向Ｙに配列されてヘッドケース２１に収納される。図３（ｂ）、図４に示すように、ヘッドケース２１の底板部分２５に設けられたセンサ面開口部２７からは、各ヘッド本体２２のギャップ３１がヘッドケース２１の外側に露出する。
【００２８】
図２に示すように、磁気ヘッド６は、ヘッド本体２２の読取り用コイル３３の第１端子３３Ａおよび第２端子３３Ｂから出力されるアナログ信号を復調する復調回路５２と、復調回路５２から出力される復調信号を暗号化する暗号化回路５３と、書込み用コイル３４
の第１端子３４Ａ、第２端子３４Ｂと接続される双方向ダイオード５４Ａ、５４Ｂを備える。双方向ダイオード５４Ａ、５４Ｂは、例えば、所定の順方向電圧を有する一対のダイオードを逆方向に接続した素子である。
【００２９】
なお、図２ではヘッド本体２２が１つのみ図示され、双方向ダイオード５４Ａ、５４Ｂについても１つのヘッド本体２２に接続される数（２個）のみ図示されているが、多チャンネルの磁気ヘッド６では、ヘッド本体２２は磁気ヘッド６のチャンネル数と同じ数が設けられる。すなわち、本形態ではヘッド本体２２の数は３である。そして、各ヘッド本体２２の書込み用コイル３４は、それぞれ、双方向ダイオード５４Ａ、５４Ｂを介して本体側基板７０の出力端子７０Ａ、７０Ｂとリード線８０を介して接続される。また、各ヘッド本体２２の読取り用コイル３３の第１端子３３Ａおよび第２端子３３Ｂから出力されるアナログ信号は復調回路５２を経由して暗号化回路５３に入力される。
【００３０】
暗号化回路５３は、所定の暗号化関数と鍵データとによって復調信号を暗号化して暗号化信号を出力する。なお、読取り用コイル３３の第１端子３３Ａおよび第２端子３３Ｂと復調回路５２との間にノイズを除去するフィルタ回路を設けることもできる。上述したように、磁気ヘッド６から出力される暗号化信号は、暗号化回路５３から出力され、リード線８０を介して本体側ＣＰＵ７１へ入力される。
【００３１】
双方向ダイオード５４Ａ、５４Ｂは、それぞれ、書込み用コイル３４の第１端子３４Ａ、第２端子３４Ｂと上述した本体側基板７０の出力端子７０Ａ、７０Ｂとの間に直列に配置される。従って、書込み回路７２から出力される書込み信号は、双方向ダイオード５４Ａ、５４Ｂを経由して書込み用コイル３４へ入力される。書込み回路７２は、双方向ダイオード５４Ａ、５４Ｂの順方向電圧を超える電圧レベルの書込み信号を出力する。
【００３２】
復調回路５２は制御回路基板６２に実装された復調ＩＣ６１を備える。また、暗号化回路５３は制御回路基板６２に実装されたＣＰＵ６３を備える。図４に示すように、制御回路基板６２は下方Ｚ１を向く第１基板面６２Ａとおよび上方Ｚ２を向く第２基板面６２Ｂを備える。制御回路基板６２の第１基板面６２Ａには復調ＩＣ６１が実装され、第２基板面６２ＢにはＣＰＵ６３が実装される。復調ＩＣ６１は、上下方向Ｚに見たときにＣＰＵ６３の外形の内側に入るように配置される。また、双方向ダイオード５４Ａ、５４Ｂは、制御回路基板６２の第１基板面６２Ａに実装される。復調ＩＣ６１は、ヘッドケース２１の内部で引き回される図示しないフレキシブル配線基板を介して、読取り用コイル３３の一方端および他方端に接続された第１端子３３Ａおよび第２端子３３Ｂと接続される。また、双方向ダイオード５４Ａ、５４Ｂは、復調ＩＣ６１と同様に、ヘッドケース２１の内部で引き回される図示しないフレキシブル配線基板を介して、書込み用コイル３４の一方端および他方端に接続された第１端子３４Ａおよび第２端子３４Ｂと接続される。
【００３３】
図４に示すように、制御回路基板６２は、ヘッドケース２１の開口部２８を上方Ｚ２から塞ぐように配置される。制御回路基板６２は、ヘッドケース２１内に充填された樹脂９０を介してヘッドケース２１に固定される。制御回路基板６２は復調ＩＣ６１および双方向ダイオード５４Ａ、５４Ｂが実装された領域がヘッドケース２１と上下方向Ｚに対向しており、第１基板面６２Ａにおいて復調ＩＣ６１および双方向ダイオード５４Ａ、５４Ｂが実装された領域はヘッドケース２１によって下方Ｚ１から覆われる。従って、復調回路５２および双方向ダイオード５４Ａ、５４Ｂはヘッドケース２１内に配置される。制御回路基板６２の第２基板面６２Ｂに実装されたＣＰＵ６３は、その全体が樹脂９１により封止されている。樹脂９１はエポキシ系の樹脂である。
【００３４】
（作用効果）
以上のように、本形態のカードリーダ１は磁気情報の読取りおよび書込みを行う磁気ヘ
ッド６を備えており、磁気ヘッド６のヘッドケース２１内に双方向ダイオード５４Ａ、５４Ｂが配置され、この双方向ダイオード５４Ａ、５４Ｂを介して書込み用コイル３４に書込み用信号が入力される。従って、読取り用コイル３３によって磁気情報が読み取られる際に、読取り用コイル３３から出力される信号に対応するアナログ信号が書込み用コイル３４から出力されたとしても、このアナログ信号は双方向ダイオード５４Ａ、５４Ｂを通過せず、磁気ヘッド６から書込み回路７２側へアナログ信号が出力されることはない。一方、書込み回路７２からは、順方向電圧を超える書込み用信号が磁気ヘッド６に入力されるので、書込み用信号は双方向ダイオード５４Ａ、５４Ｂを通過し書込み用コイル３４に入力される。双方向ダイオード５４Ａ、５４Ｂは順方向電圧以上の信号に対しては抵抗が非常に小さいので、双方向ダイオード５４Ａ、５４Ｂを設けたことによる、書込み用の磁気ヘッド６としての特性への影響は少ない。
【００３５】
従って、本形態によれば、磁気情報の読取りおよび書込みが可能な磁気ヘッド６において、回路の切り換え制御を行うことなく、磁気ヘッド６から書込み回路７２側へ信号が出力されることを双方向ダイオード５４Ａ、５４Ｂによって阻止できる。従って、磁気ヘッド６と書込み回路７２との間で暗号化されない信号が読み取られることを防止できる。また、双方向ダイオード５４Ａ、５４Ｂは部品サイズが小さく実装面積が小さくて済み、低コストである。従って、磁気ヘッド６のセキュリティの向上と、磁気ヘッド６の小型化および低コスト化とを両立できる。
【００３６】
本形態では、双方向ダイオード５４Ａ、５４Ｂおよび復調ＩＣ６１が制御回路基板６２の第１基板面６２Ａに実装され、これらの実装領域がヘッドケース２１によって覆われるように制御回路基板６２がヘッドケース２１に固定される。このように、回路基板上に双方向ダイオード５４Ａ、５４Ｂを構成する電子部品を実装すれば、磁気ヘッド６への双方向ダイオード５４Ａ、５４Ｂの組み込みおよび配線接続が容易である。また、復調ＩＣ６１と双方向ダイオード５４Ａ、５４Ｂを共通の制御回路基板６２に実装しているので、磁気ヘッド６の構造を簡素化でき、組み立ておよび配線接続が容易である。また、磁気ヘッド６の小型化に有利である。更に、暗号化回路５３を構成するＣＰＵ６３はヘッドケース２１の外側を向く第２基板面６２Ｂに実装され樹脂９１で覆われているので、ヘッドケース２１の内部にＣＰＵ６３を配置するスペースを確保する必要がない。従って、ヘッドケース２１を小型化でき、磁気ヘッド６を小型化できる。
【００３７】
（その他の実施の形態）
上記形態では、双方向ダイオード５４Ａ、５４Ｂが制御回路基板６２上に実装されているが、制御回路基板６２とは別体の回路基板に双方向ダイオード５４Ａ、５４Ｂを実装してヘッドケース２１内に配置し、樹脂９０で固定してもよい。また、双方向ダイオード５４Ａ、５４Ｂを構成する素子（一対のダイオード）をリード線で接続したものをヘッドケース２１内に配置し、樹脂９０で固定してもよい。なお、双方向ダイオード５４Ａ、５４Ｂを実装した回路基板は、樹脂９０で固定する以外の方法でヘッドケース２１に固定されていてもよい。
【符号の説明】
【００３８】
１…カードリーダ（磁気記録媒体処理装置）
２…磁気ストライプ
３…磁気カード（磁気記録媒体）
５…カード挿入口
６…磁気ヘッド
６ａ…センサ面
７…カード搬送経路
８…搬送機構
９…搬送ローラー対
１０…搬送モータ
１１…磁気トラック
２１…ヘッドケース
２２…ヘッド本体
２５…底板部分
２６…角筒部分
２７…センサ面開口部
２８…開口部
３１…ギャップ
３２…コア
３２ａ…直線部
３２ｂ、３２ｃ…コイル巻回部
３２ｄ、３２ｅ…腕部
３３…読取り用コイル
３３Ａ…第１端子
３３Ｂ…第２端子
３４…書込み用コイル
３４Ａ…第１端子
３４Ｂ…第２端子
５２…復調回路
５３…暗号化回路
５４Ａ、５４Ｂ…双方向ダイオード
６１…復調ＩＣ
６２…制御回路基板
６２Ａ…第１基板面
６２Ｂ…第２基板面
６３…ＣＰＵ
７０…本体側基板
７０Ａ、７０Ｂ…出力端子
７１…本体側ＣＰＵ
７２…書込み回路
８０…リード線
９０、９１…樹脂
Ａ…処理位置
Ｘ…前後方向
Ｙ…幅方向
Ｚ…上下方向
Ｚ１…下方
Ｚ２…上方
【図１】
0006527096.tif 000002
【図２】
0006527096.tif 000003
【図３】
0006527096.tif 000004
【図４】
0006527096.tif 000005